(57)【要約】【課題】手提げ金庫の使用者のそのときの使用状況に応じて、コインカウンターの傾斜角度を適切に変更できるようにし、コインカウンターを使いやすくするとともに、コインカウンターの傾斜角度を調整することにより庫内の開口部の大きさも調整できるようにし、使用者に応じて使い勝手の良い手提げ金庫を提供すること。【解決手段】上蓋３がヒンジ４により開閉可能となっている手提げ金庫１において、本体部２上段にトレー状のコインカウンター５が収納されているとともに、前記上蓋を開いたときに、前記コインカウンターが任意の角度で傾斜して保持されるようにした。【選択図】  図１
2010138653.tif 000002
【特許請求の範囲】
【請求項１】
上蓋がヒンジにより開閉可能となっている手提げ金庫において、本体部上段にトレー状のコインカウンターが収納されているとともに、前記上蓋を開いたときに、前記コインカウンターが任意の角度で傾斜して保持されるようにしたことを特徴とする手提げ金庫。
【請求項２】
前記コインカウンターが傾斜して保持される角度を可変としたことを特徴とする請求項１に記載の手提げ金庫。
【請求項３】
前記上蓋に前記コインカウンターの係止部が複数箇所設けられているとともに、前記コインカウンターに前記係止部と係合可能な係合部が設けられていることを特徴とする請求項１又は２に記載の手提げ金庫。
【請求項４】
前記コインカウンターに対し回動可能にアングル材が取り付けられているとともに、前記アングル材が前記上蓋の内側にスライド可能に配設されていることを特徴とする請求項１又は２に記載の手提げ金庫。
【請求項５】
前記コインカウンターに対し回動可能にアングル材が取り付けられているとともに、前記アングル材に磁石が取り付けられ、前記磁石によりアングル材が前記上蓋の内側の所望箇所に固定可能となっていることを特徴とする請求項１又は２に記載の手提げ金庫。
【発明の詳細な説明】
【技術分野】
【０００１】
本発明は、手提げ金庫にトレー状のコインカウンターを収納するとともに、金庫の上蓋を開いた時にはコインカウンターを任意の角度に傾斜させて使用できるようにすることにより、使用者の便宜が図れるようにしたものである。
【背景技術】
【０００２】
金銭の収受用に上蓋がヒンジにより開閉される手提げ金庫は利用範囲が広くいろいろな場所で利用されている。
【０００３】
また、特許文献１及び２に示すように、硬貨の収納や受け渡し用に、トレーを硬貨の種類に応じて収納部を仕切ったいわゆるコインカウンターも広く利用されている。
【０００４】
そして、特許文献３及び４に示すように、手提げ金庫の本体部上段にトレー状のコインカウンターを取り外し可能に収納したものがある。
【０００５】
あるいは、手提げ金庫の本体部の上段に収納したトレー状のコインカウンターの一端を上蓋に回動可能に連結し、上蓋を開いたときにはコインカウンターが上蓋の開いた角度に連動して本体部上面をスライドして傾斜するようにしたものもある。
【特許文献１】特開平１１−１５４２５８号公報
【特許文献２】特開２００２−２１６２１５号公報
【特許文献３】実開昭５６−３４９７９号公報
【特許文献４】特開２００４−５２３２０号公報
【発明の開示】
【発明が解決しようとする課題】
【０００６】
しかし手提げ金庫内にコインカウンターを取り外し可能に収納したものの場合は、手提げ金庫使用時にはコインカウンターを庫内から取り外して適当な箇所に置いて使用するか、あるいは上段にコインカウンターを載せたままで使用する場合は、下段のお札などを出し入れするたびにコインカウンターを手でいちいち持ち上げなければならず、いずれにしても使い勝手が悪かった。
【０００７】
また、コインカウンターの一端を上蓋に回動可能に連結し、上蓋を開いたときにはコインカウンターが上蓋の開いた角度に連動してスライドして傾斜するようにしたものの場合、上蓋の開いた角度によりコインカウンターの傾斜角は決まってしまい任意に調節できないので、使用者の好みによりコインカウンターを所望角度にセットすることができなかった。したがって、コインカウンターの形式や手提げ金庫の使用場所により、コインカウンターの傾斜角度の適宜変更や、コインカウンターがスライドすることによりできる庫内への開口部の大きさを変更したいという要望に応えることができない。
【０００８】
本発明は、このような問題点を解決するためになされたものであり、その目的とするところは、使用者のそのときの使用状況に応じて、手提げ金庫内のコインカウンターの傾斜角度を適切に変更できるようにし、コインカウンターを使い易くするとともに、コインカウンターの傾斜角度を調整することにより庫内への開口部の大きさも調整できるようにし、使用者に応じて使い勝手の良い手提げ金庫を提供することである。
【課題を解決するための手段】
【０００９】
上記の目的を達成するために、本発明の手提げ金庫は上蓋がヒンジにより開閉可能となっている手提げ金庫において、本体部上段にトレー状のコインカウンターが収納されているとともに、前記上蓋を開いたときに、前記コインカウンターが任意の角度で傾斜して保持されるようにしたものである。
【００１０】
また、本発明の別の態様は、前記発明に加えて前記コインカウンターが傾斜して保持される角度を可変としたものである。
【００１１】
また、本発明の別の態様は、前記発明に加えて前記上蓋に前記コインカウンターの係止部が複数箇所設けられているとともに、前記コインカウンターに前記係止部と係合可能な係合部が設けられているものである。
【００１２】
また、本発明の別の態様は、前記発明に加えて前記コインカウンターに対し回動可能にアングル材が取り付けられているとともに、前記アングル材が前記上蓋の内側にスライド可能に配設されているものである。
【００１３】
また、本発明の別の態様は、前記発明に加えて前記コインカウンターに対し回動可能にアングル材が取り付けられているとともに、前記アングル材に磁石が取り付けられ、前記磁石によりアングル材が前記上蓋の内側の所望箇所に固定可能となっているものである。
【発明の効果】
【００１４】
コインカウンターは傾斜角度を可変としたので、手提げ金庫使用時に使用者の使用状況に応じてコインカウンターの角度を適切に変更できるので、硬貨の収受と整理を速やかに行うことができる。また、コインカウンターの傾斜角度を調整することにより庫内の開口部の大きさも調整でき、よって使用者に応じて使い勝手の良い手提げ金庫となる。
【発明を実施するための最良の形態】
【００１５】
本発明の手提げ金庫の実施の形態について説明する。
上蓋がヒンジにより開閉可能となっている手提げ金庫において、本体部上段にトレー状のコインカウンターが収納されているとともに、上蓋を開いたときに、コインカウンターが任意の角度で傾斜して保持されるようにする。
【００１６】
トレー内を任意の形状に仕切ったコインカウンターが手提げ金庫の本体部上段に収まるようになっている。そして、上蓋を開いたときには、コインカウンターが上蓋が開くのに連動して自動的に立ち上がって傾斜し、あるいは手動によりコインカウンターの一部を上蓋の内側等に係止することにより、任意の角度に傾斜させて保持できる。
【００１７】
また、好ましくはコインカウンターが傾斜して保持される角度を可変とする。上蓋の内側にコインカウンターの係止箇所を複数設けたり、係止位置を変更可能とすることにより、コインカウンターの係止位置を変更でき、保持角度を変更可能にできる。
【００１８】
また、好ましくは上蓋にコインカウンターの係止部が複数箇所設けられているとともに、コインカウンターに係止部と係合可能な係合部が設けられているようにする。このようにすると、コインカウンターの上蓋に対する係止場所を変更でき、従って傾斜角度を変更することができる。
【００１９】
また、好ましくはコインカウンターに対し回動可能にアングル材が取り付けられているとともに、アングル材が前記上蓋の内側にスライド可能に配設されているようにする。このようにすると、アングル材を上蓋の内側をスライドさせることによりアングル材の上蓋内側への取り付け位置を変更でき、コインカウンターの傾斜角度を変更することができる。
【００２０】
また、好ましくはコインカウンターに対し回動可能にアングル材が取り付けられているとともに、アングル材に磁石が取り付けられ、磁石によりアングル材が上蓋の内側の所望箇所に固定可能となっているようにする。このようにすると、アングル材の上蓋への吸着箇所を変更することにより、コインカウンターを任意の角度に傾けることができる。
【実施例１】
【００２１】
次に本発明の手提げ金庫の一実施例を、図１及び図２に基づいて説明する。図１は本発明の手提げ金庫の上蓋を開いた状態の斜視図である。図２は図１の手提げ金庫のアングル材の斜視図である。
【００２２】
本発明の手提げ金庫１は、本体部２と上蓋３により構成されヒンジ４により上蓋３が開閉可能となっている。そして、本体部２にはコインカウンター５が収納されている。
【００２３】
また、コインカウンター５に対し角度可変にアングル材６が取り付けられている。そして。アングル材６は上蓋３の内側にスライド可能に止めネジ７により固定されている。
【００２４】
次にアングル材６の一例を図２に基づいて詳述する。アングル材６は図示するように断面鈍角のＬ型をしており、両端部は折り曲げてコインカウンター５を回動可能に支持する支持部８が形成してあり、コインカウンター５の両側を支持部８の小孔９を利用してコインカウンター５をアングル材６に対し回動可能にネジ止めしてある。なお、ネジ止めする代わりにコインカウンター５の両側面に小突起を形成しておき、この小突起を小孔９に挿入するようにしても良い。
【００２５】
アングル材６の上蓋３の内側と接する側は、図示した例では上蓋３の中央部が内側に凹んでいる形状に合わして形成してある。そして、アングル材６を上蓋３にスライド可能に止める止めネジ７用の長孔１０が形成してある。止めネジ７を緩めるとアングル材６は長孔１０により上蓋３の内側に対してスライド可能となり、止めネジ７を締めるとアングル材６は上蓋３の内側に対して固定されることになる。
また、アングル材６の反対側（図２において下側）はコインカウンター５の底面と当接する受け部１１となる。
【００２６】
なお、長孔１０の両側に形成してある長溝１２は、上蓋３の内側に出ていて表側にある取っ手を止めているネジ１３の頭を逃げるためのものである。ただし、この長溝１２の幅をネジ１３の頭の大きさにしておくと、アングル材６をスライドさせるときにネジ１３の頭が長溝１２を摺動することになり、アングル材６を長溝１２に平行にスムーズに移動させることができる効果がある。また、アングル材６の形状は一例を示したものであり、上蓋３の内側の形状によりアングル材６の形状も適宜変更可能である。
なお、鍵１４により本体部２と上蓋３がロック可能となっていることなどは通常の手提げ金庫と同じである。
【００２７】
次に、本実施例の手提げ金庫の使用方法について説明する。
鍵１３のロックを解除し、上蓋３をヒンジ４を支軸として本体部２から任意角度に開く。コインカウンター５はアングル材６により上蓋３の内側に止められているので、上蓋３が開くのに従い本体部２のヒンジ４と反対側に庫内への開口部１５ができるようにスライドするとともに、支持部８で回動し、徐々に立ち上がるようにして傾斜する。
【００２８】
そして、この段階で止めネジ７を緩めアングル材６を上蓋３の内側に対してスライドさせることにより、コインカウンター５の傾斜角度を変更できることになる。コインカウンター５が所望角度の傾斜角となったら、止めネジ７を締めてアングル材６を上蓋３の内側に対して固定する。これにより、手提げ金庫の利用者の好みに応じた傾斜角でもってコインカウンター５をセットできる。コインカウンター５は一定以上の傾斜角度になると、アングル材６の支持部８付近の底面がアングル材６の受け部１１と当接し、それ以上の回動はしなくなるが、アングル材６の上蓋３の内側への固定位置を変更することにより傾斜角度は変更可能である。また、コインカウンター５が受け部１１と当接することにより安定した状態でコインカウンター５を使用できる。
【００２９】
手提げ金庫使用後に上蓋３を閉じるに際しては、コインカウンター５は支持部８でアングル材６に対して回動可能であるので基本的には、コインカウンター５は使用していた傾斜角度のままで上蓋３は閉じることができる。ただし、その次の使用者の便宜などを考慮して、アングル材６の上蓋３の内側への固定位置を初期位置に戻しておいても良い。
【００３０】
なお、上記実施例でアングル材６の上蓋３の内側と対向する面に磁石を取り付けるとともに、上蓋３の内側を磁石が吸着可能な材料で形成し、磁力によりアングル６材を上蓋３の内側に固定するようにしても良い。このようにしておくと、アングル材６の上蓋３への吸着箇所を変更することにより、コインカウンター５を任意の角度に傾けることができる。
【実施例２】
【００３１】
次に本発明の手提げ金庫の他の実施例を、図３〜図６に基づいて説明する。図３は本発明の手提げ金庫を示す断面図である。図４は図３の手提げ金庫の上蓋に取り付ける係止部材の斜視図である。図５は図３の手提げ金庫のコインカウンターの平面図である。図６は図３の手提げ金庫のコインカウンターの側面図である。
【００３２】
手提げ金庫の基本的構造は上記実施例１と同じであるので、同じ符号を付したものの説明は省略し、以下異なる部分について説明する。
【００３３】
本実施例の手提げ金庫１に収納されるコインカウンター５には図５及び図６に示すように、コインカウンター５の両側に小円筒状の係止ピン１６が形成してある。また、手提げ金庫１の上蓋３の内側の両サイドにはコインカウンター５の係止ピン１６と係合する係合溝１７が複数段形成してある係合部材１８が配設してある。
【００３４】
次に係合部材１８の一例を図３及び図４に基づいて詳述する。係合部材１８は板材を折り曲げて形成してあり、図４に示すように上下部１９に対し中央部２０が一段高くなった形状をしている。そして、係合部材１８は上蓋３の内側のサイドに中央部２０が接しない向き、すなわち上下部１９の中央部２０と反対側の面を内側サイドに対し固定する。図４に示す係合部材１８は手提げ金庫１を正面（ヒンジ４と反対側）からみて、右側に取り付けるものを示す。なお、右側に取り付けるものと左側に取り付けるものは、中央部２０の一段高くなる方向は逆となるが、係合溝１７に対する上下方向は同一である。
【００３５】
中央部２０には複数段の係合溝１７と、この係合溝１７と連通して、上方に挿入部２１が、下方に係合溝１７と反対方向に収納用溝２２が形成してある連通溝２３が形成してある。係合溝１７、挿入部２１、収納用溝２２、連通溝２３の幅はそれぞれコインカウンター５の係合ピン１６が挿通可能な大きさとなっている。
【００３６】
係合部材１８は手提げ金庫１の上蓋３の内側の両サイドに対向させて配設してある。対向している係合部材１８の左右の挿入部２１には丁度コインカウンター５の左右の係合ピン１６がそこから連通溝２３内に挿入できるようになっている。また、対向している係合部材１８の左右の中央部２０部分の間隔は、コインカウンター５の幅より若干広く、係合ピン１６を連通溝２３を経て収納用溝２２や係合溝１７へ自由に動かせることが可能となっている。
【００３７】
次に、本実施例の手提げ金庫１の使用方法について説明する。
まず、手提げ金庫１の上蓋３が閉まっているときには、コインカウンター５は図３に点線で示すように本体部２に水平に収納されている。この状態ではコインカウンター５の係合ピン１６は係合部材１８の収納用溝２２と係合している。係合部材１８の収納用溝２２は上蓋３を閉じたとき連通溝２３より下方に位置するようになっており、コインカウンター５は丁度本体部２に水平に収納されるようになっている。
【００３８】
このような状態から手提げ金庫１の上蓋３を開くと、図３に一点鎖線で示すようにコインカウンター５は係合ピン１６が係合部材１８の収納用溝２２と係合したまま、上蓋３が開くのに連動してスライドしながら傾斜する。この状態においても手提げ金庫１は使用可能であるが、コインカウンター５の係合ピン１６を、連通溝２３内をスライドさせて係合ピン１６を任意の係合溝１７に係合させることにより、使用者は二点鎖線で示すようにコインカウンター５を自分の好みの傾斜角度に調節して保持することができる。
【００３９】
また、コインカウンター５は係合ピン１６を連通溝２３内を上方に移動させることにより係合ピン１６を挿入部２１から外へ引き出すことができ、コインカウンター５を必要に応じて手提げ金庫１から簡単に取り外すこともできる。
【００４０】
図示した例では係合溝１７は四段であるが、この段数は任意であり、少なくとも一段あればよい。係合溝１７が一段あれば、収納用溝２２と合わせて係合ピン１６が係合する溝が二段となり、コインカウンター５を二通りの傾斜角度で保持することができることになる。
【実施例３】
【００４１】
次に本発明の手提げ金庫の他の実施例を、図７及び図８に基づいて説明する。図７の（Ａ）は本発明の手提げ金庫を示す断面図であり、（Ｂ）は係止部材の正面図である。図８は図７の手提げ金庫のコインカウンターの側面図である。
【００４２】
手提げ金庫の基本的構造は上記実施例１と同じであるので、同じ符号を付したものの説明は省略し、以下異なる部分について説明する。
【００４３】
本実施例の手提げ金庫１に収納されるコインカウンター５には図７及び図８に示すように、コインカウンター５の背面に鈎型の係合部２４が形成してある。また、手提げ金庫１の上蓋３の内側には、コインカウンター５の係合部２４と係合するＬ型の係止部２５’が複数段形成してある係止部材２５が取り付けてある。
【００４４】
次に、本実施例の手提げ金庫の使用方法について説明する。
まず、手提げ金庫１の上蓋３が閉まっているときには、コインカウンター５は図７に点線で示すように本体部２の上段に水平に収納されている。
【００４５】
このような状態から手提げ金庫１の上蓋３を開く。本実施例の場合は、上蓋３を開いてもコインカウンター５は本体部２に水平に収納されたままである。この状態において、コインカウンター５を持ち上げて、コインカウンター５の係合部２４を上蓋３の内側の係止部材２５の任意の位置の係止部２５’に引っ掛けることにより、使用者は二点鎖線で示すようにコインカウンター５を自分の好みの傾斜角度に調節して保持することができる。
【００４６】
なお、本実施例の場合は、コインカウンター５は上蓋３の動きと連動しないので、コインカウンター５は本体部２の開口部分と同じ大きさにすることができ、手提げ金庫１が小型の場合であっても、コインカウンター５を大きなものを使用できる特徴がある。また、上蓋３の内側に設ける係止部２５は二段以上あればよい。
【実施例４】
【００４７】
次に本発明の手提げ金庫の他の実施例を、図９及び図１０に基づいて説明する。図９は本発明の手提げ金庫を示す断面図である。図１０は図９の手提げ金庫の要部斜視図である。
【００４８】
手提げ金庫の基本的構造は上記実施例１と同じであるので、同じ符号を付したものの説明は省略し、以下異なる部分について説明する。
【００４９】
本実施例の手提げ金庫１は、上蓋３の両サイドにスライド用溝２６が形成してある。そして、コインカウンター５の両側は、止めネジ２７によりスライド用溝２６の任意位置で固定可能となっている。スライド用溝２６は、上蓋３を閉じたときにコインカウンター５が本体部２上段に水平に収納されるような位置に形成されている。
【００５０】
次に、本実施例の手提げ金庫１の使用方法について説明する。
まず、手提げ金庫１の上蓋３が閉まっているときには、コインカウンター５は図９に点線で示すように本体部２の上段に水平に収納されている。
【００５１】
このような状態から手提げ金庫１の上蓋３を開くと、図９に一点鎖線で示すように、コインカウンター５は止めネジ２７で上蓋３に固定されているので、上蓋３が開くのに連動してスライドしながら立ち上がるようにして傾斜する。この状態においても手提げ金庫１は使用可能であるが、コインカウンター５は止めネジ２７を緩めて止めネジ２７をスライド用溝２６を移動させて傾斜角を調整し、その後止めネジ２７を締めてコインカウンター５をスライド用溝２６に対して固定することにより、使用者は二点鎖線で示すようにコインカウンター５を自分の好みの傾斜角度に調節して保持することができる。
【００５２】
上蓋３を閉じる場合は、止めネジ２７を緩め、コインカウンター５がヒンジ４側に近づくように、止めネジ２７をスライド用溝２６を移動させてコインカウンター５を初期位置に戻す。そして、上蓋３を閉じると、コインカウンター５は本体部２の上段に点線で示すように水平に収納されることになる。
【実施例５】
【００５３】
次に本発明の手提げ金庫の他の実施例を、図１１及び図１２に基づいて説明する。図１１は本発明の手提げ金庫を示す断面図である。図１２は図１１の手提げ金庫の取り付け部材の斜視図である。
【００５４】
手提げ金庫の基本的構造は上記実施例１と同じであるので、同じ符号を付したものの説明は省略し、以下異なる部分について説明する。
【００５５】
本実施例の手提げ金庫１は、コインカウンター５に対し角度可変に取り付け部材２８が取り付けられている。そして。取り付け部材２８は上蓋３の内側にスライド可能に止めネジ２９により固定されている。
【００５６】
次に取り付け部材２８の一例を図１２に基づいて詳述する。取り付け部材２８は図示するように、板状の部材を両端部が対向するように折り曲げ、この対向させた面にそれぞれコインカウンター５の長孔３０に挿入される円筒状の凸部３１が形成してある。
【００５７】
また、取り付け部材２８の上蓋３の内側と接する側には、平行に二本のスライド用溝３２が形成してある。そして、取り付け部材２８は止めネジ２９により上蓋３に対しスライド可能に止められるようになっている。止めネジ２９を緩めると取り付け部材２８はスライド用溝３１により上蓋３の内側に対してスライド可能となり、止めネジ２９を締めると取り付け部材２８は上蓋３の内側に対して固定されることになる。
【００５８】
そして、コインカウンター５の両側に形成した長孔３０に対し、上記のように構成した取り付け部材２８の凸部３１が、外側から挿入されるようにしてスライド可能に係合している。すなわち、コインカウンター５は長孔３０により取り付け部材２８に対しスライド可能であり、また取り付け部材２８はスライド用溝３２により上蓋３に対しスライド可能となっている。
【００５９】
次に、本実施例の手提げ金庫１の使用方法について説明する。
まず、手提げ金庫１の上蓋３が閉まっているときには、コインカウンター５は図１１に点線で示すように本体部２の上段に水平に収納されている。
【００６０】
このような状態から手提げ金庫１の上蓋３を開くと、図１１に一点鎖線で示すように、上蓋３が開くのに連動してスライドしながら立ち上がるようにして傾斜する。この状態においても手提げ金庫１は使用可能であるが、コインカウンター５は止めネジ２９を緩めてスライド用溝２６により取り付け部材２８を移動させて傾斜角を調整し、その後止めネジ２９を締めてコインカウンター５を固定することにより、使用者は二点鎖線で示すようにコインカウンター５を自分の好みの傾斜角度に調節して保持することができる。
【００６１】
上蓋３を閉じる場合は、止めネジ２７を緩め、取り付け部材２８を元の位置に戻し、コインカウンター５を初期位置に戻す。そして、上蓋３を閉じると、コインカウンター５は本体部２の上段に点線で示すように水平に収納されることになる。
なお、本実施例ではコインカウンター５に長孔３０を形成することにより、手提げ金庫１に収納する際にその収納位置が調整されるので、コインカウンター５を本体部２の開口部分とほぼ同じ大きさにすることが可能である。
【産業上の利用可能性】
【００６２】
本発明の手提げ金庫は上蓋が開くタイプのものであればどのような手提げ金庫にも適用可能である。金庫のロック機構は従来から用いられている各種形式のものが利用でき、また全くロック機構を有さないようなものであってもよい。コインカウンターの形式も従来のものが使用でき、コインカウンターの内部構造については任意の選択が可能である。
【図面の簡単な説明】
【００６３】
【図１】本発明の手提げ金庫の上蓋を開いた状態の斜視図である。
【図２】図１の手提げ金庫のアングル材の斜視図である。
【図３】本発明の手提げ金庫の他例を示す断面図である。
【図４】図３の手提げ金庫の上蓋に取り付ける係止部材の斜視図である。
【図５】図３の手提げ金庫のコインカウンターの平面図である。
【図６】図３の手提げ金庫のコインカウンターの側面図である。
【図７】本発明の手提げ金庫の他例を示すものであり、（Ａ）は断面図であり、（Ｂ）は係止部材の正面図である。
【図８】図７の手提げ金庫のコインカウンターの側面図である。
【図９】本発明の手提げ金庫の他例を示す断面図である。
【図１０】図９の手提げ金庫の要部斜視図である。
【図１１】本発明の手提げ金庫の他例を示す断面図である。
【図１２】図１１の手提げ金庫の取り付け部材の斜視図である。
【符号の説明】
【００６４】
１      手提げ金庫
２      本体部
３      上蓋
４      ヒンジ
５      コインカウンター
６      アングル材
７      止めネジ
８      支持部
９      小孔
１０      長孔
１１      受け部
１２      長溝
１３      ネジ
１４      鍵
１５      開口部
１６      係止ピン
１７      係合溝
１８      係合部材
１９      上下部
２０      中央部
２１      挿入部
２２      収納用溝
２３      連通溝
２４      係合部
２５      係止部材
２５’    係止部
２６      スライド用溝
２７      止めネジ
２８      取り付け部材
２９      止めネジ
３０      長孔
３１      凸部
３２      スライド用溝
【図１】
2010138653.tif 000003
【図２】
2010138653.tif 000004
【図３】
2010138653.tif 000005
【図４】
2010138653.tif 000006
【図５】
2010138653.tif 000007
【図６】
2010138653.tif 000008
【図７】
2010138653.tif 000009
【図８】
2010138653.tif 000010
【図９】
2010138653.tif 000011
【図１０】
2010138653.tif 000012
【図１１】
2010138653.tif 000013
【図１２】
2010138653.tif 000014